(57)【要約】【課題】  適切に温度調節した美味なミネラル水等を充分に殺菌・減菌した安全な状態に保ちながら、好きな時に好みの場所において飲用、調理等に常に利用できる給水システムを提供する。【解決手段】  本発明による給水システムは、基本的に建物の下層部に設置され複数種類の受水口を備えた受水槽６と、建物の上層部に設置され内部に殺菌消毒装置を備えた複数種類の貯水槽１０と、両水槽間を接続する逆止弁付揚水手段８と、貯水槽１０からの給水配管９に接続されて任意箇所に設置される温度調整装置を備えた給水装置１４及び各水槽と手段装置を関連付ける制御機構から構成し、受水槽として複数のカートリッジ式受水槽を備えたり、逆止弁付揚水手段を、両水槽間を個別に接続する複数系統に構成することや給水装置を給水配管に可撓性パイプで接続して移動可能にすることを特徴としている。【選択図】  図１
2005155090.tif 000002
【特許請求の範囲】
【請求項１】
建物の下層部に設置され複数種類の受水口を備えた受水槽、建物の上層部に設置され内部に殺菌消毒装置を備えた複数種類の貯水槽、該両水槽間を接続する逆止弁付揚水手段、該受水槽に接続されて任意箇所に設置される温度調整装置を備えた給水装置及び各水槽と手段装置を関連付ける制御機構から構成される給水システム。
【請求項２】
受水口が、カートリッジ式受水口を備えていることを特徴とする請求項１に記載の給水システム。
【請求項３】
逆止弁付揚水手段が、両水槽間を個別に接続する複数系統に構成されることを特徴とする請求項１又は２に記載の給水システム。
【請求項４】
給水装置が、貯水槽に可撓性パイプで接続されて移動可能であることを特徴とする請求項１乃至３のいずれかに記載の給水システム。
【発明の詳細な説明】
【技術分野】
【０００１】
本発明は給水システムに関し、特に各家庭の日常生活において、美味で安全性の高いミネラル水等を飲用や調理用に常時使用することのできる給水システムに関する。
【背景技術】
【０００２】
従来のミネラル水等の給水システムとしては、タンク車でミネラル水等を運搬して集合住宅の下層階に設置したタンクに貯留し、屋上などの上層階に汲み上げて貯水、冷却することで、各戸に配管を通じて供給している。（例えば特許文献１を参照。）
【０００３】
即ち、従来のミネラル水等の給水システムは、図５に示すように、集合住宅１０１の複数の住居１０２に対して、タンク車１０３で搬入されたミネラル水１０４を、ホース１０５を経由させて地下の受水槽１０６に貯水させている。又、ミネラル水１０４は、揚水手段１０８により供給管１０９を経由して屋上の貯水槽１１０に揚水されて貯水される。
【０００４】
又、ミネラル水１０４は、冷却手段１１１で飲み頃の温度に冷却されると同時に殺菌手段１１２で殺菌され、給水配管１１３を通じて各住居１０２に分配されて、位置が固定された抽出弁（カラン）１１４から飲料として利用されている。そして、給水配管１１３の最下部には、絞り部１１５を有することで少量のミネラル水は受水槽１０６に戻すようにして、利用が少ない時にミネラル水が滞留して温まるのを防止するように構成している。
【０００５】
しかしながら、ミネラル水は、水道水のように塩素などの殺菌剤を含んでいないために、非常に雑菌が繁殖し易いものであって、貯水槽等は、水の一部だけが入れ替わるものであることから、雑菌等が残留すると数日で繁殖することになる。従って、これらのミネラル水は、貯水槽等の出口で殺菌しても雑菌の死骸が水に含まれることになって、既に生成された毒素が利用者に供給されてしまうことになる。
【０００６】
又、ミネラル水は、飲み易く美味に感じる温度の冷水で各戸に供給するために受水槽への戻り配管を設けて、ミネラル水を循環させる構成としているが、集合住宅の中の長く複雑な配管系の場合には、水の流れ難い所が発生してしまうために、住居によって暖たまったミネラル水が供給されてしまう場合も発生してしまう。さらに、循環系から外れた主配管から住居までの枝配管の中に残留しているミネラル水は、温まることをさけることができないために、抽出弁１１４を操作しても冷たいミネラル水が出てくるのを待たなければならないという問題も指摘されている。
【０００７】
【特許文献１】特開２００１−１３２０３７号公報（段落符号「０００６」〜段落符号「０００９」末行、図１）
【発明の開示】
【発明が解決しようとする課題】
【０００８】
本発明は、上記の問題点に鑑みて提案するものであり、適切に温度調節した美味なミネラル水等を充分に殺菌・減菌した安全な状態に保ちながら、好きな時に好みの場所において飲用、調理等に常に利用できる給水システムを提供している。
【課題を解決するための手段】
【０００９】
本発明による給水システムは、基本的に建物の下層部に設置され複数種類の受水口を備えた受水槽と、建物の上層部に設置され内部に殺菌消毒装置を備えた複数種類の貯水槽と、両水槽間を接続する逆止弁付揚水手段と、貯水槽からの給水配管に接続されて任意箇所に設置される温度調整装置を備えた給水装置及び各水槽と手段装置を関連付ける制御機構から構成し、受水槽として複数のカートリッジ式受水槽を備えたり、逆止弁付揚水手段を、両水槽間を個別に接続する複数系統に構成することや給水装置を給水配管に可撓性パイプで接続して移動可能にすることを特徴としている。
【発明の効果】
【００１０】
本発明による給水システムは、基本的に建物の下層部に設置され複数種類の受水口を備えた受水槽と、建物の上層部に設置され内部に殺菌消毒装置を備えた複数種類の貯水槽と、両水槽間を接続する逆止弁付揚水手段と、貯水槽からの給水配管に接続されて任意箇所に設置される温度調整装置を備えた給水装置及び各水槽と手段装置を関連付ける制御機構から構成し、受水槽として複数のカートリッジ式受水槽を備えたり、逆止弁付揚水手段を、両水槽間を個別に接続する複数系統に構成することや給水装置を給水配管に可撓性パイプで接続して移動可能にすることを特徴としているので、以下の効果を発揮いしている。
【００１１】
１）ミネラル水等は、専門業者から発送された原水を利用して安全性の高い成分を保証されている。
２）貯水されるミネラル水等は、貯水槽内で殺菌・減菌するので給水系内で汚染されることがない。
３）ミネラル水等は、利用する個所で温度調節されるので、利用したい温度を確実に確保できる。
４）ミネラル水等は、複数種類を供給できるので、利用目的や個人の嗜好に応じて使い分けできる。
５）受水槽は、複数のカートリッジ式受水槽を備えているので、清潔に充填されたカートリッジタンクを簡単に取り付けて使用できる。
６）使用済のカートリッジタンクは、順次に容器毎で交換されるので、供給されるミネラル水等は安全・清潔を確保できる。
７）逆止弁付揚水手段が複数系統を構成しているので、複数種類のミネラル水等をそれぞれの利用場所に供給できる。
８）給水装置が、給水配管に可撓性パイプで接続されているので、任意の場所に移動させて利用できる。
【発明を実施するための最良の形態】
【００１２】
本発明による給水システムは、建物の下層部に設置され複数種類の受水口を備えた受水槽と、建物の上層部に設置され内部に殺菌消毒装置を備えた複数種類の貯水槽と、両水槽間を接続する逆止弁付揚水手段と、貯水槽からの給水配管に接続されて任意箇所に設置される温度調整装置を備えた給水装置及び各水槽と手段装置を関連付ける制御機構から構成することを基本にしている。
以下に、本発明による給水システムの実施形態を図面に基づいて詳細に説明する。
【実施例１】
【００１３】
図１は、本発明による給水システムを戸建住宅向けに適用した実施の形態を示す構成図であり、図２は、給水システムにおける１系統分の詳細な系統図である。
図１において、戸建住宅１はキッチン２−１、ホームバー２−２、リビング２−３等の複数の居室から構成されているのに対し、タンク車３で搬入されたミネラル水等４を、給水ホース５を経由させて受水槽６に給水させている。受水槽６は３種類が準備されており、それぞれ軟水用受水槽６ａ、硬水用受水槽６ｂ、そして超硬水用受水槽６ｃであるが、それぞれの受水槽６に対応して逆止弁７、揚水ポンプ８が設置されており、後述する制御手段によって揚水ポンプ８が作動することで、ミネラル水等４は、供給管９を経由して建物上層の貯水槽１０に揚水される。貯水槽１０からは給水配管１１が各利用場所に敷設されているので、ミネラル水等４は、給水配管１１の各端部から可撓性パイプ１２と遮断弁１３を経由して、給水装置１４に接続されている。
【００１４】
本実施例では、軟水４ａ用の給水装置１４−１ａ、１４−２ａは冷水、熱水、常温水の３種類が供給されるようにし、硬水４ｂ用の給水装置１４−１ｂ、１４−２ｂは冷水と常温水が供給されるようにし、超硬水４ｃ用の給水装置１４−１ｃ、１４−２ｃは冷水のみが供給されるようにしている。軟水の利用としては、冷水を飲料として使用するだけでなく、熱水をお茶などに、常温水を炊飯や煮物などの調理に使用できるようにしている。又硬水利用としては、冷水を飲料として使用するに加えて、常温水を調理に使用できるようにしているが、硬水は、ビーフシチューの煮込みに良く、又スパゲッティを茹でると腰が出ると言われていおり、又コーヒーに使用すると、軟水に比べて味に丸みが出るとされている等の、特別な用途に使用できるものである。さらに超硬水は、冷水を飲用とするのが主な用途であり、特にミネラル分が多いため、カルシウムの補給や便秘解消、ダイエットに良いと言われている。
【００１５】
以上のような用途に応じ、図１では、２階のホームバー２−２に軟水用給水装置１４−２ａ、硬水用給水装置１４−２ｂ、超硬水用給水装置１４−２ｃを設置しており、１階のキッチン２−１に軟水用給水装置１４−１ａ、硬水用給水装置１４−１ｂを設置している。又、超硬水用給水装置１４−１ｃは、通常はキッチン２−１に設置しているが、本図の場合は、リビング２−３でホームパーティーで使用するため、可撓性パイプ１２により延長させたものである。
【００１６】
尚、更に遠くの庭等で給水装置１４を利用する場合は、給水装置１４を、可撓性パイプ１２から外して移動し、給水装置１４に貯留されている分のミネラル水等４を楽しむこともできる。
【００１７】
次に、図２のミネラル水等の給水システムの１系統分の詳細な系統図により説明する。
受水槽６には、受水口２１からミネラル水等４が供給されるが、受水槽６には、殺菌消毒装置２２が設置されており、雑菌類の繁殖を防止するようにしている。又、液面計として、低位液面計２３Ｌと極低位液面計２３ＬＬが設置されており、両者の信号は受水槽監視装置２４に入力されると共に、表示器２５に表示されている。利用者は低位液面計２３Ｌより水位が低くなった事を知ることで、業者にそのミネラル水等４を発注することができるが、又、通信回線を通じて、業者が水位を遠隔監視することで、自動発注することも可能である。
【００１８】
液面が極低位液面計２３ＬＬより低くなると、信号が後述する供給制御装置２８に送られ、揚水ポンプ８の作動を禁止させている。
【００１９】
貯水槽１０には、殺菌消毒装置２６が設置されており、雑菌類の繁殖を防止するようにしている。又、液面計として、高位液面計２７Ｈ、低位液面計２７Ｌ、極低位液面計２７ＬＬが設置されており、これらの信号が供給制御装置２８に入力されることで、供給制御装置２８は、液面が低位液面計２７Ｌを下まわると、揚水ポンプ８を作動させてミネラル水等４を、受水槽６から貯水槽１０に供給管９を経由して揚水するようにし、液面が高位液面計２７Ｈに達したら揚水ポンプ８を停止させるようにしている。尚、揚水ポンプ８の停止中は逆止弁７の作用により、供給管９の中の水が受水槽６に戻ることがない。
【００２０】
貯水槽１０の液位が極低位液面計２７ＬＬより下がった場合は、供給制御装置２８は、貯水槽１０の出口に設置した遮断弁２９を閉としてミネラル水等４の供給を停止すると共に、この状態を表示装置２５に伝送して利用者に向けて表示するようにしている。
【００２１】
給水装置１４は、内部に常温水貯水部３０を有し、そこに液面計として、高位液面計３１Ｈと低位液面計３１Ｌが設置されており、これらの信号が給水制御装置３２に入力されることで、給水制御装置３２は、液面が低位液面計３１Ｌを下まわると、遮断弁１３を開としてミネラル水等４を、貯水槽１０から給水装置１４の常温水貯水部３０に給水配管１１を経由して給水するようにし、液面が高位液面計３１Ｈに達したら、遮断弁１３を閉止させて給水を停止するようにしている。
【００２２】
給水装置１４の常温水貯水部３０内の常温のミネラル水等４は、常温水貯水部３０の下部の給水パイプ３３を経由して冷水貯水部３４に導かれるが、冷水貯水部３４は冷却パイプ３５を有する断熱壁３６で囲まれており、所定の温度に冷水が作られ、貯水されている。
【００２３】
一方、同じ常温水貯水部３０内の常温のミネラル水等４は、常温水貯水部３０の下部の給水パイプ３７を経由して熱水貯水部３８に導かれるが、熱水貯水部３８はヒータ３９によって所定の温度に熱せられ、貯水されている。
【００２４】
これらのミネラル水等４を利用する時は、常温水は常温水抽出弁４０を、冷水は冷水抽出弁４１を、熱水は熱水抽出弁４２を操作して、それぞれ得ることができる。
【００２５】
又、給水装置１４は、図２に示すような冷水、熱水、常温水の３種類に固定することなく、利用形態に応じて適宜温度の種類を増減した構成を容易に製作できるものである。
【００２６】
尚、本実施例では給水方式として、受水槽６と貯水槽１０を用いた、「高置水槽方式」を用いたが、貯水槽１０を用いずに、受水槽６から直接給水装置１４の常温水貯水部３０に給水する、「ポンプ直送方式」でも同様のシステムを構成できることは明かである。
【００２７】
次に、図３は、本給水システムに用いるカートリッジ式受水槽の実施の形態を示している。
図３(a)は、ひとつのカートリッジ式受水槽の断面図であり、ミネラル水等４は、プラスチック製のカートリッジタンク５１の中に満たされて配達されるので、このカートリッジタンク５１を受水部５２に取りつけて使用するが、カートリッジタンクの蓋５３と、受水部５２のパッキング５４により、機密性を有して接合することができる。ミネラル水等４を使用して受水部５２の水量が減ると、液面が下がって通気管５５の下端が液面から離れることで、空気がカートリッジタンク５１に入り、それと置換することでミネラル水等４が導水管５６を通って受水部５２に流入するようにしている。そして後述するグループ制御装置６２用の入力部として受水部５２に液面計５７を、操作部として受水部５２の出口に遮断弁５８を備えている。
【００２８】
さらに、図３（ｂ）の複数のカートリッジタンク５１を用いたカートリッジ式受水槽６１の系統により説明する。
図３（ｂ）では、３個のカートリッジタンク５１ｉ、５１ｊ、５１ｋを１つのグループとして使用するようにしており、グループ制御装置６２は、各カートリッジタンクの液面計５７ｉ、５７ｊ、５７ｋの液位を確認している。そして始めにグループ制御装置６２はカートリッジタンク５１ｉの遮断弁５８ｉを開とし、他を閉とすることで、この状態で揚水ポンプ８が作動すると、カートリッジタンク５１ｉのミネラル水等４が、受水部５２を経由して揚水されるようにしている。
【００２９】
カートリッジタンク５１ｉの中のミネラル水等４が消費されると、液面計５７ｉの液位が無くなるので、グループ制御装置６２は遮断弁５８ｉを閉とし、次に遮断弁５８ｊを開とすることで、カートリッジタンク５１ｊのミネラル水等４が供給されると共に、カートリッジタンク５１ｉが空になったことを、グループ表示装置６３に表示する。
【００３０】
又、液面計５７ｊの液位が無くなると、グループ制御装置６２は遮断弁５８ｊを閉とし、遮断弁５８ｋを開とすることで、カートリッジタンク５１ｋのミネラル水等４が供給されると共に、カートリッジタンク５１ｊが空になったことが表示装置６３に表示されるので、利用者は業者にそのミネラル水等４を発注することができるが、通信回線を通じて、業者が水位を遠隔監視し、自動発注することも可能である。
【００３１】
発注されると、業者はカートリッジタンク５１を配達するが、業者の事業所から遠方の場合は宅配便を利用して発送できる。又密封されたカートリッジタンクは保存に適するので、利用者はその都度発注するのでなく、予め必要量を備蓄しておき、利用者が自分で交換することも容易である。
【００３２】
カートリッジタンク５１を使用すると、業者の事業所で予め滅菌されたミネラル水等４が密封して配達されるため、水の安全性がより高く、又備蓄性にも優れるため、地震等の災害時の備蓄を兼ねることもできる。又カートリッジタンク５１を使い切るため、ミネラル水等４の銘柄の変更が簡単であり、又、宅配便の利用が可能なため、業者からの納入地域をほぼ全国に拡大できるなどの特徴があり、戸建住宅等の小規模利用には好適である。
【００３３】
尚、本実施例ではカートリッジタンク５１の材質として、強度に優れたポリエチレン製などのプラスチック製タンクを示したが、これは容器を回収して再使用する「リターナブル方式」に優れた容器であり、一方容器を回収しない「ワンウエィ方式」とする場合は、ダンボール箱の内側にプラスチックフィルムを貼りつけた容器などを使用することができる。
【実施例２】
【００３４】
図４は、本発明による給水システムを集合住宅に適用した実施の形態を示す構成図である。
集合住宅７１の複数の住居７２に対して、タンク車３で搬入されたミネラル水等４は、給水ホース５を受水口７４に接続し、受水管７５を経由させて、建物下層部に設置した受水槽７６に給水させている。受水槽７６は３種類準備されており、それぞれ軟水用受水槽７６ａ、硬水用受水槽７６ｂ、そして超硬水用受水槽７６ｃであるが、それぞれの受水槽７６に対応して逆止弁７７、揚水ポンプ７８が設置されており、実施例１と同様の制御手段によって揚水ポンプ７８を作動させ、ミネラル水等４を、供給管７９を経由させて建物上層の貯水槽８０に揚水している。貯水槽８０からは給水配管８１が各住居に配管されており、その各端部から量水器８２、可撓性パイプ１２と遮断弁１３を経由させて、給水装置１４に接続される。そしてミネラル水等４を、実施例１と同様の制御手段によって遮断弁１３を作動させて給水装置１４に給水させている。
【００３５】
従って、本実施例では、上記実施例１の効果に加えて次の効果がある。
１）ミネラル水等は、各住居に備えられた温度調節手段により、各住居での好みにより多様に設定できる。
２）画一的に設計された集合住宅においても、可撓性パイプによって任意の場所でミネラル水等を利用できる。
３）量水器によって実使用量に応じた課金が可能であり、予期せぬ費用の心配がない。
４）集合住宅にオフィスが入居している場合、ミネラル水等は従業員の福利厚生や、来客へのもてなしに好適である。
５）集合住宅にレストランや喫茶店が入居している場合は、来客へのミネラル水の提供に加えて、調理に使用することで、その幅を広げることができる。
【００３６】
以上、本発明を実施の形態に基づいて詳細に説明してきたが、本発明による給水システムは、上記実施の形態に何ら限定されるものでなく、本発明の上記の趣旨を逸脱しない範囲において種々の変更が可能であることは当然である。
【産業上の利用可能性】
【００３７】
本発明による給水システムは、戸建住宅、集合住宅、店舗、事務所等において、適切に温度調節した美味なミネラル水等を充分に殺菌・減菌した安全な状態に保ちながら、好きな時に好みの場所において飲用、調理等に常時利用することができる。
【図面の簡単な説明】
【００３８】
【図１】本発明を戸建住宅に適用した給水システムの実施の形態を示す構成図
【図２】本発明による給水システムの系統図
【図３】本発明によるカートリッジ式受水槽の実施の形態図
【図４】本発明を集合住宅に適用した給水システムの実施の形態を示す構成図
【図５】従来におけるミネラル水等の給水システム図
【符号の説明】
【００３９】
１  戸建住宅、
２−１  キッチン、  ２−２  ホームバー、  ２−３  リビング、
３、１０３  タンク車、  ４、１０４  ミネラル水等、
５、１０５  給水ホース、  ６、７６、１０６  受水槽、
７、７７  逆止弁、  ８、７８  揚水ポンプ、  ９、７９、１０９  供給管、
１０、８０、１１０  貯水槽、  １１、８１、１１３  給水配管、
１２  可撓性パイプ、  １３、２９、５８  遮断弁、  １４  給水装置、
２１  受水口、  ２２、２６  殺菌消毒装置、
２３、２７、３１、５７  液面計、  ２４  受水槽監視装置、  ２５  表示器、
２８  供給制御装置、  ３０  常温水貯水部、    ３２  給水制御装置、
３３、３７  給水パイプ、  ３４  冷水貯水部、  ３５  冷却パイプ、
３６  断熱壁、  ３８  熱水貯水部、  ３９  ヒータ、  ４０  常温水抽出弁、
４１冷水抽出弁、  ４２  熱水抽出弁、
５１  カートリッジタンク、  ５２  受水部、  ５３  蓋、
５４  パッキング、  ５５  通気管、  ５６  導水管、
６１  カートリッジ式受水槽、  ６２  グループ制御装置、
６３  グループ表示装置、  ７１、１０１  集合住宅、  ７２、１０２  住居  、    
７４  受水口、  ７５  受水管、  ８２  量水器、１０８  揚水手段、
１１１  冷却手段、  １１２  殺菌手段、  １１４  抽出弁、
１１５  絞り部    ａ  軟水（用）、  ｂ  硬水（用）  ｃ  超硬水（用）
ｉ、ｊ、ｋ  区分添字  Ｈ  高位、  Ｌ  低位、  ＬＬ  極低位
【図１】
2005155090.tif 000003
【図２】
2005155090.tif 000004
【図３】
2005155090.tif 000005
【図４】
2005155090.tif 000006
【図５】
2005155090.tif 000007